(57)【要約】【課題】検査対象体の位置やその周囲の状態の如何に関わらず検査対象体の活電状態を確実に検査し得る検電器を提供する。【解決手段】筒状の本体部２と、本体部２に対して移動可能に本体部２の先端部２ａに連結された可動部３と、可動部３に配設されて検査対象体の活電状態を検出するセンサ４１と、駆動用電源を投入させる電源スイッチ（第１電極２４および第２電極３２）とを備え、可動部３は、コイルばね２３を介して本体部２に連結されて、本体部２に対して傾斜する向き（矢印Ａの向き）および本体部２に対して接離する向き（矢印Ｂの向き）に移動可能に構成され、電源スイッチは、可動部３が本体部２に対して所定角度で傾斜する向きで移動したときおよび可動部３が本体部２に対して所定距離まで近接する向きで移動したときに駆動用電源を投入可能に構成されている。【選択図】図２
2008185434.tif 000002
【特許請求の範囲】
【請求項１】
筒状の本体部と、当該本体部に対して移動可能に当該本体部の先端部に連結された可動部と、当該可動部に配設されて検査対象体の活電状態を検出するセンサと、駆動用電源を投入させる電源スイッチとを備えた検電器であって、
前記可動部は、コイルばねを介して前記本体部に連結されて、当該本体部に対して傾斜する向きおよび当該本体部に対して接離する向きに移動可能に構成され、
前記電源スイッチは、前記可動部が前記本体部に対して所定角度で傾斜する向きで移動したときおよび当該可動部が当該本体部に対して所定距離まで近接する向きで移動したときに前記駆動用電源を投入可能に構成されている検電器。
【請求項２】
前記可動部は、その基端部が筒状に構成されて当該基端部と前記本体部の前記先端部とが互いに嵌合した状態で当該本体部に連結されると共に、所定の長さ以上移動したときに前記基端部が前記本体部の前記先端部に当接して当該所定の長さ以上の移動が制限させられる請求項１記載の検電器。
【請求項３】
前記電源スイッチは、前記本体部に配設された第１電極と、前記可動部に配設されて当該可動部が移動したときに前記第１電極に接触する第２電極とを備えて構成されている請求項１または２記載の検電器。
【請求項４】
前記可動部の先端部には内部に空間を有する突起部が形成され、
前記センサは、前記突起部における前記内部の空間に配設されている請求項１から３のいずれかに記載の検電器。
【請求項５】
前記突起部は、商用電源のコンセントの差込口に挿入可能に板状に構成されている請求項４記載の検電器。
【発明の詳細な説明】
【技術分野】
【０００１】
本発明は、筒状の本体部と、本体部に対して移動可能に本体部に連結されると共に検査対象体の活電状態を検出するセンサが内部に配設された可動部とを備えた検電器に関するものである。
【背景技術】
【０００２】
この種の検電器として、実開平１−１２４５７１号公報に開示された検電装置が知られている。この検電装置は、略四角柱状に形成された胴部と、胴部の先端が遊挿される蓋体とを備えて構成されている。この場合、胴部における先端部の内部には、電源スイッチが配設されており、この電源スイッチと蓋体の内部に配設された突起との間には、スプリングが配設されている。この検電装置では、検査対象体としての電線に蓋体の先端面を当接させて検電装置（胴部）をその軸線方向に沿って押し当てたときに、スプリングの押圧力に抗して蓋体が胴部側に移動させられる。この場合、蓋体が胴部に対して所定の距離まで近接したときには、蓋体の突起によって電源スイッチが押圧されて、駆動用電源の供給が開始される。また、電線に対する蓋体の押し当てにより、蓋体における先端部の内部に配設されている検出電極と電線とが近接させられて検出電極によって電圧が検出される。これにより、検査対象体の活電状態が検出される。
【特許文献１】実開平１−１２４５７１号公報（第１３−１７頁、第９−１１図）
【発明の開示】
【発明が解決しようとする課題】
【０００３】
ところが、上記の検電装置には、以下の問題点がある。すなわち、この検電装置では、軸線方向に沿って検電装置（胴部）を移動させたときに電源スイッチが投入される。このため、例えば障害物が存在して検電装置を軸線方向に沿って移動させる操作が困難なときには、駆動用電源の供給開始が行われずに検査自体が不可能となったり、蓋体（検出電極）と検査対象体とを十分に近接させることができずに検査結果が不正確となったりするおそれがある。また、この検電装置では、検査対象体としての電線に対する押し当てを容易とするために、蓋体の先端面が比較的大きな形状に形成されている。このため、例えば商用電源のコンセントの活電状態を検査する際には、差込口の奥に配設されている検査対象体としての電極に対して蓋体（検出電極）を十分に近接させることができないため、この場合においても、検査結果が不正確となったり、検査自体が不可能となったりするおそれがある。
【０００４】
本発明は、かかる問題点に鑑みてなされたものであり、検査対象体の位置やその周囲の状態の如何に関わらず検査対象体の活電状態を確実に検査し得る検電器を提供することを主目的とする。
【課題を解決するための手段】
【０００５】
上記目的を達成すべく請求項１記載の検電器は、筒状の本体部と、当該本体部に対して移動可能に当該本体部の先端部に連結された可動部と、当該可動部に配設されて検査対象体の活電状態を検出するセンサと、駆動用電源を投入させる電源スイッチとを備えた検電器であって、前記可動部は、コイルばねを介して前記本体部に連結されて、当該本体部に対して傾斜する向きおよび当該本体部に対して接離する向きに移動可能に構成され、前記電源スイッチは、前記可動部が前記本体部に対して所定角度で傾斜する向きで移動したときおよび当該可動部が当該本体部に対して所定距離まで近接する向きで移動したときに前記駆動用電源を投入可能に構成されている。
【０００６】
また、請求項２記載の検電器は、請求項１記載の検電器において、前記可動部は、その基端部が筒状に構成されて当該基端部と前記本体部の前記先端部とが互いに嵌合した状態で当該本体部に連結されると共に、所定の長さ以上移動したときに前記基端部が前記本体部の前記先端部に当接して当該所定の長さ以上の移動が制限させられる。
【０００７】
また、請求項３記載の検電器は、請求項１または２記載の検電器において、前記電源スイッチは、前記本体部に配設された第１電極と、前記可動部に配設されて当該可動部が移動したときに前記第１電極に接触する第２電極とを備えて構成されている。
【０００８】
さらに、請求項４記載の検電器は、請求項１から３のいずれかに記載の検電器において、前記可動部の先端部には内部に空間を有する突起部が形成され、前記センサは、前記突起部における前記内部の空間に配設されている。
【０００９】
また、請求項５記載の検電器は、請求項４記載の検電器において、前記突起部は、商用電源のコンセントの差込口に挿入可能に板状に構成されている。
【発明の効果】
【００１０】
請求項１記載の検電器によれば、本体部に対して傾斜する向きおよび接離する向きに移動可能にコイルばねを介して可動部を本体部に連結し、可動部が本体部に対して所定角度で傾斜したときおよび所定距離まで近接したときに駆動用電源を投入可能な電源スイッチを備えたことにより、軸線に沿って押し当てなければ駆動用電源が供給されない従来の検電装置とは異なり、軸線に沿って押し当てる操作に加えて、検電器の軸線に対して交差する向きに沿って移動させる操作によっても駆動用電源を供給させることができる。したがって、この検電器によれば、検査対象体の位置やその周囲の状態の如何に関わらず、例えば障害物が存在して検電器（本体部）をその軸線方向に沿って移動させる操作が困難なときにおいても、検査対象体の活電状態を確実に検査することができる。
【００１１】
また、請求項２記載の検電器によれば、筒状に構成した基端部と本体部の先端部とを互いに嵌合させた状態で可動部を本体部に連結させると共に、所定の長さ以上移動したときに可動部の基端部が本体部の先端部に当接して所定の長さ以上の移動が制限されるように構成したことにより、可動部と本体部とを連結しているコイルばねが極端に引き延ばされてばねとしての機能が失われたり、可動部が本体部から外れて破損したりする事態を確実に防止することができる。
【００１２】
また、請求項３記載の検電器によれば、本体部に配設された第１電極と、可動部に配設されて、可動部が本体部に対して所定距離まで近接したときおよび可動部が本体部に対して所定角度で傾斜したときに第１電極に接触する第２電極とを備えて電源スイッチを構成したことにより、簡易な構成でありながら、可動部が所定距離だけ移動したときに回路基板に対して駆動用電源を確実に供給させることができる。
【００１３】
さらに、請求項４記載の検電器によれば、可動部の先端部に形成した突起部における内部の空間にセンサを配設したことにより、可動部の先端面が比較的大きく形成された従来の検電装置とは異なり、狭い空間内に位置している検査対象体の活電状態を検査する場合においても、突起部をその狭い空間の入口から挿入することで、センサをその検査対象体に十分に近接させることができる結果、検査対象体の活電状態を正確に検査することができる。
【００１４】
また、請求項５記載の検電器によれば、商用電源のコンセントの差込口に挿入可能に突起部を板状に構成したことにより、コンセントの活電状態を確実かつ容易に検査することができる。
【発明を実施するための最良の形態】
【００１５】
以下、本発明に係る検電器の最良の形態について、添付図面を参照して説明する。
【００１６】
最初に、検電器１の構成について、図面を参照して説明する。図１に示す検電器１は、本発明に係る検電器の一例であって、検査対象体に所定電圧値以上の交流電圧が供給されているか否か（活電状態）を検査（検出）可能に構成されている。具体的には、検電器１は、同図に示すように、本体部２および可動部３を備えて構成されている。本体部２は、樹脂等の非導電性材料によって全体として円筒状（筒状の一例）に構成されている。この場合、図２に示すように、本体部２の先端部２ａは、先端部２ａを除く他の部分よりも小径に形成されて、本体部２の先端部２ａよりも大径に形成された可動部３の基端部３ｂに対して嵌合可能に構成されている。
【００１７】
また、図２に示すよう、本体部２の先端部２ａよりもやや基端部側に位置する部位の内側には、非導電性材料で形成された円板状の第１仕切板２１（図３も参照）が取り付けられている。この場合、図２に示すように、第１仕切板２１の一面２１ａ（同図における下面）には、電池５０のプラス側端子を接触させるためのプラス側電極２２が取り付けられている。また、第１仕切板２１の他面２１ｂ（同図における上面）における中心部には、コイルばね２３の一端部が固定されている。また、第１仕切板２１の他面２１ｂには、コイルばね２３を取り囲むようにして円筒状の第１電極２４（図３も参照）が取り付けられている。この場合、図２に示すように、コイルばね２３の一端部が第１仕切板２１を貫通してプラス側電極２２に電気的に接続されている。また、第１電極２４は、後述するキャップ２６に取り付けられている図外のマイナス側電極とリード線２４ａを介して電気的に接続されている。
【００１８】
また、図１に示すように、本体部２における先端部２ａ側の外周には、本体部２（検電器１）を握る際の滑り止めとして機能する樹脂製またはゴム製のグリップ２５が取り付けられている。さらに、同図に示すように、本体部２の基端部２ｂには、本体部２に対して着脱可能で、かつ装着状態において本体部２に対して回動可能に構成されたキャップ２６が取り付けられている。この場合、キャップ２６は、所定の角度だけ回転させることによってオン／オフを切り替えるメインスイッチとして機能する。また、キャップ２６の内側には、仕切板２１とキャップ２６とによって仕切られた本体部２の内部空間に、収容された電池５０（図２参照）のマイナス側端子を接触させるためのマイナス側電極（図示せず）が取り付けられている。
【００１９】
可動部３は、図３に示すように、先端部３ａがやや小径に形成された円筒状に構成されている。また、可動部３は、図２に示すように、基端部３ｂと本体部２の先端部２ａとを互いに嵌合した状態で後述するように本体部２に連結されている。さらに、可動部３の先端部３ａには、内部に空間を有する板状の突起部３ｃが形成されている。この場合、突起部３ｃは、後述する商用電源のコンセントの差込口（一例として、図５に示すコンセント７０の差込口７２）に挿入可能にその大きさが規定されている。また、突起部３ｃにおける内部の空間には、同図に示すように、センサ４１が収容されている。ここで、センサ４１は、検査対象体に交流電圧が供給されているときに、検査対象体との間の静電容量に基づくセンサ信号（例えば交流電流）を出力する。
【００２０】
また、図２に示すように、可動部３における基端部３ｂよりもやや先端部３ａ側に位置する部位の内側には、非導電性材料で形成された円板状の第２仕切板３１（図３も参照）が取り付けられている。また、図２に示すように、第２仕切板３１によって仕切られた可動部３の内部空間には、回路基板４が配設されている。この場合、回路基板４には、センサ４１からのセンサ信号に基づいて電圧を検出する検出回路、検出回路によって検出された電圧の検出値が予め設定された設定値以上のときにブザー音を出力するブザー、および検出値が設定値以上のときに発光するＬＥＤ（いずれも図示せず）などが配設されている。
【００２１】
さらに、図２に示すように、第２仕切板３１の一面３１ａ（同図における下面）における中心部には、コイルばね２３の他端部が固定されている。つまり、可動部３は、本体部２の第１仕切板２１および可動部３の第２仕切板３１にコイルばね２３の両端部がそれぞれ固定された上記の構成により、コイルばね２３を介して本体部２に連結されて、本体部２に対して揺動可能にコイルばね２３によって支持されている。このため、可動部３は、本体部２に対して傾斜する向き（同図に示す矢印Ａの向き）、および本体部２に対して接離する向き（同図に示す矢印Ｂの向き）に沿って移動可能となっている。また、可動部３は、基端部３ｂと本体部２の先端部２ａとが嵌合した状態で連結されているため、上記した各向きに所定の長さ以上移動したときには、基端部３ｂが本体部２の先端部３ａに当接して、それ以上の移動が制限させられる。
【００２２】
また、図２に示すように、第２仕切板３１の一面３１ａには、コイルばね２３を取り囲むようにして円環状の第２電極３２（図３も参照）が取り付けられている。この場合、図２に示すように、コイルばね２３の他端部は、回路基板４のプラス側電源入力端子４２ａにリード線２３ａを介して電気的に接続され、第２電極３２は、回路基板４のマイナス側電源入力端子４２ｂにリード線３２ａを介して電気的に接続されている。
【００２３】
ここで、上記した第１電極２４および第２電極３２は、本発明における電源スイッチとして機能する。具体的には、図２に示すように、可動部３に対して外力が加えられていない状態においては、両電極２４，３２が互いに離間して、回路基板４に対する駆動用電源の供給が停止した状態が維持される。一方、図４に示すように可動部３が本体部２に対して傾斜する向きに所定角度だけ移動させられた（傾けられた）とき、および図５に示すように可動部３が本体部２に対して近接する向きに所定距離だけ移動させられたときには、可動部３に取り付けられている第２電極３２が、本体部２に取り付けられている第１電極２４に接触して両電極２４，３２が電気的に接続され、これによって回路基板４に対する電池５０からの駆動用電源の供給が開始される。この場合、この検電器１では、円筒状の第１電極２４、および円環状の第２電極３２が採用されている。このため、可動部３がどの向きに傾けられたとしても、その傾斜角度が所定角度となったときに、両電極２４，３２を互いに確実に接触させることが可能となっている。
【００２４】
次に、検電器１を用いて検査対象体に電圧が供給されているか否か（活電状態）を検査する方法について、図面を参照して説明する。
【００２５】
最初に、検電器１を用いて、図４に示す検査対象体としての電線６０の活電状態を検査する方法について説明する。まず、図１に示す状態から、キャップ２６を回動させてメインスイッチを「ＯＮ」に切り替える。次いで、本体部２におけるグリップ２５の取付部分を握り、図４に示すように、検電器１を同図に示す矢印Ｃの向き、つまり検電器１（本体部２）の軸線に対して交差（例えば直交）する向きに沿って移動させることにより、電線６０に対して突起部３ｃの側面を押し当てる。この際に、押し当ての反力が可動部３に作用して、コイルばね２３の変形による引っ張り力に抗して、可動部３が同図に示す矢印Ｄの向き、つまり本体部２に対して傾斜する向きに沿って移動させられる（傾けられる）。次いで、可動部３が所定の角度だけ移動させられたときに、同図に示すように、第１電極２４と第２電極３２とが接触して両電極２４，３２が電気的に接続されて、回路基板４に対する駆動用電源の供給が開始される。
【００２６】
この際に、例えば、電線６０に電圧が供給されているときには、突起部３ｃの押し当てによって電線６０に近接させられた突起部３ｃ内のセンサ４１がセンサ信号を出力し、回路基板４の検出回路がセンサ信号に基づいて電圧を検出する。この場合、検出回路によって検出された検出値が設定値以上のときには、ブザーがブザー音を出力し、ＬＥＤが発光する。一方、検出値が設定値未満のときには、ブザーからのブザー音の出力、およびＬＥＤの発光が停止した状態に維持される。これにより、電線６０の活電状態が報知される。
【００２７】
この場合、軸線に沿って押し当てなければ検出回路に駆動用電源が供給されない従来の検電装置とは異なり、この検電器１では、軸線に沿って押し当てる操作に加えて、検電器１（本体部２）の軸線に対して交差する向きに沿って移動させる操作によっても回路基板４に駆動用電源を供給させることが可能となっている。このため、この検電器１では、例えば障害物が存在して検電器１（本体部２）をその軸線方向に沿って移動させる操作が困難なときにおいても、検査対象体としての電線６０の活電状態を確実に検査することが可能となっている。また、この検電器１では、突起部３ｃの側面で電線６０を押し当てることで検査を行うことが可能なため、突起部３ｃの先端部で電線６０を押し当てる構成と比較して、先端部よりも広い面積を有するセンサ４１の側面を電線６０に近接させた状態での検査が可能となっている。このため、センサ４１におけるより広い領域を利用して電線６０の活電状態を検出することが可能な結果、検査結果の信頼性を高めることが可能となっている。
【００２８】
次に、検電器１を用いて、図５に示す検査対象体としての商用電源のコンセント７０（具体的にはコンセント７０の端子片７１）の活電状態を検査する方法について説明する。この検査では、上記したように、メインスイッチを「ＯＮ」に切り替えた状態でグリップ２５の取付部分を握り、同図に示すように、突起部３ｃをコンセント７０の差込口７２に挿入する。次いで、同図に示す矢印Ｅの向き、つまり検電器１の軸線に沿った向きに検電器１を押し当てる。この際に、差込口７２の奥側に配設されている２枚の端子片７１の先端部に突起部３ｃの先端部が当接して、押し当ての反力が可動部３に作用する。このため、コイルばね２３の押圧力に抗して可動部３が同図に示す矢印Ｆの向き、つまり本体部２に近接する向きに沿って移動させられる。続いて、可動部３が所定の距離だけ移動させられたときに、第１電極２４と第２電極３２とが接触して両電極２４，３２が電気的に接続されて、回路基板４に対する駆動用電源の供給が開始される。
【００２９】
次いで、検電器１をさらに押し当てることにより、図６に示すように、２枚の端子片７１の間に突起部３ｃを挿入させる。この際に、例えば、コンセント７０（端子片７１）に電圧が供給されているときには、センサ４１がセンサ信号を出力し、回路基板４の検出回路がセンサ信号に基づいて電圧を検出する。この場合、検出回路によって検出された検出値が設定値以上のときには、ブザーがブザー音を出力し、ＬＥＤが発光する。一方、検出値が設定値未満のときには、ブザーからのブザー音の出力、およびＬＥＤの発光が停止した状態に維持される。これにより、コンセント７０の活電状態が報知される。この場合、可動部３の先端面が大きく形成された従来の検電装置とは異なり、この検電器１では、コンセント７０の差込口７２に挿入可能な板状の突起部３ｃを備えているため、突起部３ｃを差込口７２に挿入することで、センサ４１を端子片７１に十分に近接させることができる結果、コンセント７０の活電状態を正確に検査することが可能となっている。
【００３０】
このように、この検電器１によれば、本体部２に対して傾斜する向きおよび接離する向きに移動可能にコイルばね２３を介して可動部３を本体部２に連結し、可動部３が本体部２に対して所定角度で傾斜したときおよび所定距離まで近接したときに駆動用電源を投入可能な第１電極２４および第２電極３２を備えたことにより、軸線に沿って押し当てなければ検出回路に駆動用電源が供給されない従来の検電装置とは異なり、軸線に沿って押し当てる操作に加えて、検電器１の軸線に対して交差する向きに沿って移動させる操作によっても回路基板４に対して駆動用電源を供給させることができる。したがって、この検電器１によれば、検査対象体の位置やその周囲の状態の如何に関わらず、例えば障害物が存在して検電器１（本体部２）をその軸線方向に沿って移動させる操作が困難なときにおいても、検査対象体の活電状態を確実に検査することができる。
【００３１】
また、この検電器１によれば、筒状に構成した基端部３ｂと本体部２の先端部２ａとを互いに嵌合させた状態で可動部３を本体部２に連結させると共に、所定の長さ以上移動したときに可動部３の基端部３ｂが本体部２の先端部２ａに当接して所定の長さ以上の移動が制限されるように構成したことにより、可動部３と本体部２とを連結しているコイルばね２３が極端に引き延ばされてばねとしての機能が失われたり、可動部３が本体部２から外れて破損したりする事態を確実に防止することができる。
【００３２】
また、この検電器１によれば、本体部２に配設された第１電極２４と、可動部３に配設されて、可動部３が本体部２に対して所定距離まで近接したときおよび可動部３が本体部２に対して所定角度で傾斜したときに第１電極２４に接触する第２電極３２とを備えて電源スイッチを構成したことにより、簡易な構成でありながら、可動部３が所定距離だけ移動したときに回路基板４に対して駆動用電源を確実に供給させることができる。
【００３３】
また、この検電器１によれば、可動部３の先端部３ａに形成した突起部３ｃにおける内部の空間にセンサ４１を配設したことにより、可動部３の先端面が比較的大きく形成された従来の検電装置とは異なり、コンセント７０のように、差込口７２の奥に端子片７１が配設されている検査対象体、つまり狭い空間内に位置している検査対象体の活電状態を検査する場合においても、突起部３ｃを差込口７２から挿入することで、センサ４１を端子片７１に十分に近接させることができる結果、検査対象体の活電状態を正確に検査することができる。
【００３４】
また、この検電器１によれば、商用電源のコンセント７０の差込口７２に挿入可能に板状に突起部３ｃを構成したことにより、コンセント７０の活電状態を確実かつ容易に検査することができる。
【００３５】
なお、本発明は、上記の構成に限定されない。例えば、板状に形成した突起部３ｃを備えた構成例について上記したが、突起部３ｃの形状はこれに限定されず、任意の形状に形成することができる。一例として、図７に示す可動部１０３は、角柱（一例として四角柱）状の突起部１０３ｃを備えて構成され、図８に示す可動部２０３は、円錐状の突起部２０３ｃを備えて構成されている。また、図９に示す可動部３０３は、円柱状の突起部３０３ｃを備えて構成され、図１０に示す可動部４０３は、角錐（一例として四角錐）状の突起部４０３ｃを備えて構成されている。この場合、例えば、第２仕切板３１（または第１仕切板２１）とコイルばね２３との連結および連結解除が可能な連結部を設けることで、上記した各可動部３，１０３，２０３，３０３，４０３を任意に付け替え可能に構成することもできる。
【図面の簡単な説明】
【００３６】
【図１】検電器１の平面図。
【図２】本体部２および可動部３の断面図である。
【図３】本体部２および可動部３の分解斜視図である。
【図４】電線６０に対する検査の方法を説明するための説明図である。
【図５】コンセント７０に対する検査の方法を説明するための第１の説明図である。
【図６】コンセント７０に対する検査の方法を説明するための第２の説明図である。
【図７】可動部１０３の構成を示す斜視図である。
【図８】可動部２０３の構成を示す斜視図である。
【図９】可動部３０３の構成を示す斜視図である。
【図１０】可動部４０３の構成を示す斜視図である。
【符号の説明】
【００３７】
１  検電器
２  本体部
２ａ  先端部
３，１０３，２０３，３０３，４０３  可動部
３ａ  先端部
３ｃ，１０３ｃ，２０３ｃ，３０３ｃ，４０３ｃ  突起部
２３  コイルばね
２４  第１電極
３２  第２電極
４１  センサ
５０  電池
６０  電線
７０  コンセント
【図１】
2008185434.tif 000003
【図２】
2008185434.tif 000004
【図３】
2008185434.tif 000005
【図４】
2008185434.tif 000006
【図５】
2008185434.tif 000007
【図６】
2008185434.tif 000008
【図７】
2008185434.tif 000009
【図８】
2008185434.tif 000010
【図９】
2008185434.tif 000011
【図１０】
2008185434.tif 000012